(57)【要約】【課題】新規に設置する場合や移設する場合の設置工数および電線の処理工数を削減した照明器具を提供する。【解決手段】照明器具Ａは、長尺状の器具本体１と、器具本体１に取着される給電ユニット２と、直管型のランプ４と、ランプ４からの光を反射させるための反射板３とを備えている。器具本体１は、長手方向両端にレースウェイ１２に取着するための取付片５がそれぞれ設けられ、反射板３およびランプ４が取着された給電ユニット２を器具本体１に取り付けた後でレースウェイ１２に取着できるようになっている。また、給電ユニット２のケース本体２ａの内部には、電線１４ａの接続面を上方に露出させた状態で端子台１０が収納され、給電ユニット２を器具本体１に組み付けた状態では、器具本体１におけるレースウェイ１２との対向部位に設けた電線挿通孔１ｂに上記接続面が臨むようになっている。【選択図】図１
2009224155.tif 000002
【特許請求の範囲】
【請求項１】
電源接続部および点灯回路を内部に保持する器具本体を備え、当該器具本体を被取付部に取り付けるための取付部を前記器具本体の外側に設けるとともに、前記器具本体における被取付部との対向部位に設けた電線挿通孔に電線の接続面が臨むように前記電源接続部を配置したことを特徴とする照明器具。
【請求項２】
前記電線挿通孔の端面と前記電源接続部の接続面との間に隙間を設けたことを特徴とする請求項１記載の照明器具。
【請求項３】
前記電源接続部に接続された電線を取り外すための解除手段を、前記電線挿通孔に臨むように配置したことを特徴とする請求項１又は２の何れか１項に記載の照明器具。
【請求項４】
前記器具本体の内部において、前記被取付部と反対側を向く取付面に前記点灯回路を配置したことを特徴とする請求項１〜３の何れか１項に記載の照明器具。
【請求項５】
前記電線挿通孔の開口部分のうち前記電源接続部に接続された電線以外の部位を閉塞する遮蔽板を設けたことを特徴とする請求項１〜４の照明器具。
【発明の詳細な説明】
【技術分野】
【０００１】
本発明は、照明器具に関するものである。
【背景技術】
【０００２】
従来より、天井面に取り付けられて室内などを照明する照明器具が種々提供されている（例えば特許文献１参照）。
【０００３】
図９に示す照明器具は、直管型のランプ１０３が接続されるランプソケット１０４を具備した器具本体１０１と、器具本体１０１とランプ１０３の間に配設されてランプ１０３からの照射光を下方に反射させる反射板１０２とを備え、器具本体１０１には天井面から突出するボルトが挿通されるねじ挿通孔１０１ａが内側寄りに貫設されている。また、器具本体１０１の上面には電線挿通孔１０１ｂが貫設されており、当該電線挿通孔１０１ｂを通して器具本体１０１の内部に引き込まれた電線１０６を、器具本体１０１の内部に配置した端子台１０５に接続するように構成されている。
【０００４】
ここで、図１１はこの照明器具を移設する場合の工程を示すフローチャートであり、ランプを外す工程（ステップＳ１）からランプを取付ける工程（ステップＳ８）までの８工程を経て照明器具が移設される。
【０００５】
一方、図１０に示す照明器具は、内部に端子台２０５が収納された厚みの薄い器具本体２０１を閉塞するようにカバー２０４が取り付けられるようになっており、器具本体２０１にカバー２０４を取り付けた状態では器具本体２０１とカバー２０４の間の隙間が小さくなっている。
【特許文献１】特開２００３−１９７０２３号公報（段落［０００２］−段落［０００５］、及び、第１、２図）
【発明の開示】
【発明が解決しようとする課題】
【０００６】
上述した図９や図１０の照明器具では、器具本体を天井に取り付けるためのボルトが挿通されるねじ挿通孔を器具本体の内側寄りに設けるとともに、器具本体の内部に配置された端子台に電線を接続するために当該電線を電線挿通孔から器具本体の内部に引き込んでいるため、器具本体を天井に着脱したり、電線を端子台に接続又は取り外す際にはランプや反射板を取り外す必要があり、照明器具を新規に設置する場合や移設する場合に時間を要していた。
【０００７】
また、図１０に示す照明器具では、器具本体とカバーの間の隙間が小さいため、器具本体の内部に引き込んだ電線がカバーの取り付けの邪魔にならないように、電線を電線挿通孔側（図１０（ｂ）中の矢印Ｇ方向）に押し込んだり、電線を折り曲げて器具本体側（図１０（ｃ）中の矢印Ｈ方向）に押し付ける処理が必要であった。
【０００８】
本発明は上記問題点に鑑みて為されたものであり、その目的とするところは、新規に設置する場合や移設する場合の設置工数および電線の処理工数を削減した照明器具を提供することにある。
【課題を解決するための手段】
【０００９】
請求項１の発明は、電源接続部および点灯回路を内部に保持する器具本体を備え、当該器具本体を被取付部に取り付けるための取付部を器具本体の外側に設けるとともに、器具本体における被取付部との対向部位に設けた電線挿通孔に電線の接続面が臨むように電源接続部を配置したことを特徴とする。
【００１０】
請求項２の発明は、電線挿通孔の端面と電源接続部の接続面との間に隙間を設けたことを特徴とする。
【００１１】
請求項３の発明は、電源接続部に接続された電線を取り外すための解除手段を、電線挿通孔に臨むように配置したことを特徴とする。
【００１２】
請求項４の発明は、器具本体の内部において、被取付部と反対側を向く取付面に点灯回路を配置したことを特徴とする。
【００１３】
請求項５の発明は、電線挿通孔の開口部分のうち電源接続部に接続された電線以外の部位を閉塞する遮蔽板を設けたことを特徴とする。
【発明の効果】
【００１４】
請求項１の発明によれば、被取付部への取付部を器具本体の外側に設けるとともに、器具本体における被取付部との対向部位に設けた電線挿通孔に電線の接続面が臨むように電源接続部を配置することによって、照明器具を組み立てた状態で電線接続部に電線を接続したり、器具本体を被取付部に取り付けることができるので、従来例のようにランプや反射板を取り外さなくてもよく、照明器具を新規に設置したり移設する場合の設置工数を削減することができるという効果がある。また、電源接続部に電線を接続する際には電線挿通孔を臨む接続面に電線を接続するだけでよく、従来例のように電線を器具本体の内部に引き込まなくていいので、電線の処理工数を削減することができるという効果もある。
【００１５】
請求項２の発明によれば、電線挿通孔の端面と電源接続部の接続面との間に隙間を設けることによって、適正値を超えて剥かれた部分の剥き代が上記隙間よりも小さい場合には、電線の芯線が電線挿通孔の端面に接触することがなく、地絡を防止することができるという効果がある。
【００１６】
請求項３の発明によれば、電源接続部に接続された電線を取り外すための解除手段を電線挿通孔に臨むように配置しており、照明器具を組み立てた状態でも電線を取り外すことができるとともに器具本体を被取付部に着脱することができるので、従来例のようにランプや反射板を取り外さなくてもよく、照明器具を新規に設置したり移設する場合の設置工数を削減することができるという効果がある。
【００１７】
請求項４の発明によれば、器具本体の内部において、被取付部と反対側を向く取付面に点灯回路を配置することによって、上から落ちてくる塵埃の影響を受けにくくすることができるという効果がある。
【００１８】
請求項５の発明によれば、電線挿通孔の開口部分のうち電源接続部に接続された電線以外の部位を閉塞する遮蔽板を電線挿通孔に設けることによって、電源接続部に電線を接続した状態でも電線挿通孔を閉塞することができ、電源接続部の内部に塵埃が侵入するのを防止することができるという効果がある。
【発明を実施するための最良の形態】
【００１９】
本発明の実施形態を図１〜図８に基づいて説明する。本実施形態の照明器具Ａは、図１および図２に示すように、ボルト１３により建物に固定されたレースウェイ１２に取り付けられて室内（例えば、工場など）を照明するために用いられるものである。なお、以下の説明では特に断りがない限り、図２（ｂ）中の矢印ａ−ｂの方向を上下方向、矢印ｃ−ｄの方向を左右方向として説明を行う。
【００２０】
照明器具Ａは、レースウェイ１２に取り付けるための取付片５を両端部に具備した器具本体１と、器具本体１に取着される給電ユニット２と、直管型のランプ４と、ランプ４からの照射光を反射させるための反射板３とを備えている。
【００２１】
レースウェイ１２は、図１に示すように左右方向に延出する長尺状であって下側が開口する断面視略コ字状に形成されており、幅方向両側の先端部分を内側に折り曲げることにより全長に渡って溝部１２ａが形成されている。なお、このレースウェイ１２は、ボルト１３を用いて天井面（図示せず）に取り付けられるようになっている。ここに、レースウェイ１２により被取付部が構成されている。
【００２２】
器具本体１は、図１に示すように左右方向に延出する長尺状であって下面が開口する略箱状に形成されたケース本体１ａを有し、ケース本体１ａの上面中央（レースウェイ１２との対向部位）には天井面から配線されたケーブル１４を挿通させるための略矩形状の電線挿通孔１ｂが貫設されている。また、ケース本体１ａの左右方向両端寄りには下方に突出する突台部６がそれぞれ突設されており、各突台部６の底面には固定ねじ１８が螺合するねじ孔６ａが設けられている。さらに、ケース本体１ａの左右方向両端部にはコ字状に折曲形成された取付片５がそれぞれ左右方向に延設されており、各取付片５にはレースウェイ１２に取り付けるための固定ねじ１５を挿通させるねじ挿通孔５ａが貫設されている。ここに、取付片５により取付部が構成されている。
【００２３】
給電ユニット２は、図１に示すように左右方向に延出する細長い略矩形板状に形成されたケース本体２ａを有し、ケース本体２ａの上面には上記ねじ孔６ａに対応する部位にねじ挿通孔２ｂが貫設されている。各ねじ挿通孔２ｂの内側には下方に突出する突台部９がそれぞれ突設されており、各突台部９の底面には固定ねじ１９が螺合するねじ孔９ａが設けられている。また、ケース本体２ａの左右方向両端部には略矩形箱状のソケット台７がそれぞれ設けられており、各ソケット台７にはランプソケット８が接続面を内側に向けた状態で取り付けられている。すなわち、互いの接続面を対向させた状態で各ランプソケット８が対応するソケット台７に取り付けられている。さらに、ケース本体２ａにおいて上記電線挿通孔１ｂに対応する部位には端子台１０が配置されており、端子台１０の右側にはランプ４に点灯電力を供給するための安定器１１が配置されている。ここに、端子台１０により電源接続部が構成され、安定器１１により点灯回路が構成されている。
【００２４】
ここにおいて、端子台１０は図３に示すように略直方体状の本体部１０ｄを有し、本体部１０ｄの上面にはケーブル１４の各電線１４ａが接続される複数（図３では２個のみ図示）の電線接続孔１０ｂおよび電線１４ａの接続状態を解除するための解除孔１０ｃが設けられており、これら電線接続孔１０ｂおよび解除孔１０ｃを取り囲むように突壁１０ａが上方に向かって突設されている。この端子台１０は、図３に示すように電線接続孔１０ｂおよび解除孔１０ｃが器具本体１側の電線挿通孔１ｂを臨むように配置され、電線挿通孔１ｂを通して上側から各電線１４ａを対応する電線接続孔１０ｂに接続または取り外しできるようになっている。なお、端子台１０の本体部１０ｄ内には周知の速結構造の端子が電線接続孔１０ｂを臨むように収納されており、電線接続孔１０ｂに電線１４ａを挿入するだけで芯線１４ｂが対応する端子に接続されるようになっている。また、端子に接続された電線１４ａを取り外す場合には、解除孔１０ｃに工具の先部２１を差し込んで鎖錠状態を解除することで、電線１４ａを容易に取り外すことができる。ここに、突壁１０ａで囲まれた本体部１０ｄの上面（すなわち、電線接続孔１０ｂや解除孔１０ｃが設けられている面）により電線の接続面が構成され、解除孔１０ｃにより解除手段が構成されている。
【００２５】
ここで、図４（ａ）は、芯線１４ｂが適正長さｄ（例えば、１２±２ｍｍ）に剥かれた電線１４ａを端子台１０に接続した状態を示しており、この場合芯線１４ｂは電線接続孔１０ｂから外部に露出しないように接続される。一方、図４（ｂ）は、芯線１４ｂが適正長さの２倍の寸法２ｄ（本実施形態では２８ｍｍ）に剥かれた電線１４ａを端子台１０に接続した状態を示しており、この場合芯線１４ｂは電線接続孔１０ｂから外部に露出した状態になるが、本実施形態では電線挿通孔１ｂの端面と端子台１０の接続面の間に隙間ｄ＋α（α＞０）を設けている。而して、図４（ｂ）では電線挿通孔１ｂの端縁にケーブル１４を保護するためのブッシング２０が取り付けられており、芯線１４ｂが直接接触しないように保護されているが、電線挿通孔１ｂの端面と端子台１０の接続面の間に隙間ｄ＋αを設けているので、ブッシング２０がない場合であっても芯線１４ｂが電線挿通孔１ｂの端縁に接触することがなく、地絡を防止することができる。すなわち、適正長さを超えて剥かれた部分の剥き代が電線挿通孔１ｂの端面と端子台１０の接続面の間の隙間よりも小さい場合には、芯線１４ｂが電線挿通孔１ｂの端面に接触することがなく、地絡を防止できるのである。
【００２６】
なお、上述のように電線挿通孔１ｂの端面と端子台１０の接続面との間には隙間ｄ＋αが設けられているが、ブッシング２０を取り付けた状態での電線挿通孔１ｂの開口寸法と、端子台１０の本体部１０ｄの上面に突設された突壁１０ａの内側寸法とが略同じ寸法になっており、且つ、突壁１０ａを電線挿通孔１ｂ側に向けて突出させているので、この突壁１０ａが誘いとなって端子台１０に電線１４ａを導けるようになっている。
【００２７】
さらに、ケース本体１ａの電線挿通孔１ｂには、図７（ａ）に示すように遮蔽板２３が取り付けられるようになっている。この遮蔽板２３は略矩形板状であって、ケーブル１４に対応する部位にはケーブル１４を逃がすための切欠部２３ａが設けられており、ケース本体１ａの長手方向（図７（ａ）中の矢印Ｂ−Ｃ方向）に遮蔽板２３をスライドさせることによって電線挿通孔１ｂを閉塞または開放できるようになっている。而して、遮蔽板２３を設けることによって、端子台１０に電線１４ａを接続した状態でも電線挿通孔１ｂを閉塞することができ、端子台１０の内部に塵埃が侵入するのを防止することができる。なお、図７（ａ）中の二点鎖線は電線挿通孔１ｂを閉塞した状態の遮蔽板２３を示している。
【００２８】
また、安定器１１は、図５および図６に示すようにケース本体２ａの下面（すなわち、レースウェイ１２と反対側を向く取付面）に下向きに取り付けられており、安定器１１の入力端と端子台１０の出力端との間は電線２２により電気的に接続されている。このように安定器１１をケース本体２ａの下面側に配置することによって、上から落ちてくる塵埃の影響を受けにくくすることができる。ここにおいて、図６に示すようにケース本体２ａの幅方向両側を下方に折り曲げて安定器１１の側面とケース本体２ａの側面の間に配線スペースを設け、この配線スペースに上記電線２２を配線することによって、ケース本体２ａをケース本体１ａに組み付ける際にケース本体１ａとケース本体２ａの間に電線２２が挟まるのを防止することができる。
【００２９】
反射板３は、図１に示すように左右方向に延出する細長い板状に形成され、幅方向両端部には斜め下方に傾斜する傾斜面が一体に設けられている。また、反射板３の左右方向両端部にはランプソケット８を配置するための切欠部３ａがそれぞれ設けられ、さらに反射板３において上記ねじ孔９ａに対応する部位にはねじ挿通孔３ｂが貫設されている。
【００３０】
ランプ４は、図１に示すように左右方向に延出する直管状の発光管４ａを有し、発光管４ａの左右方向両端部には一対のランプピン４ｃが突設された口金部４ｂがそれぞれ設けられている。
【００３１】
次に、照明器具Ａの組立手順を図１に基づいて説明する。なお、端子台１０、安定器１１および両者間を接続する電線２２はケース本体２ａに予め取り付けられているものとして説明する。まず、器具本体１のケース本体１ａと給電ユニット２のケース本体２ａの位置を合わせ、各固定ねじ１８を対応するねじ挿通孔２ｂに挿通させるとともにねじ孔６ａに螺合させて、ケース本体１ａにケース本体２ａを組み付ける。その後、反射板３を所定位置に配置した後、各固定ねじ１９を対応するねじ挿通孔３ｂに挿通させるとともにねじ孔９ａに螺合させて、反射板３をケース本体２ａに組み付ける。そして最後に、各口金部４ｂを対応するランプソケット８に装着してランプ４をケース本体２ａに取り付けると、照明器具Ａの組立てが完了する。
【００３２】
ここにおいて、ケース本体１ａ、ケース本体２ａおよび反射板３は略同じ長さ寸法に形成され、照明器具Ａを組み立てた状態では図２（ａ）に示すように各取付片５が最も外側に位置しており、照明器具Ａを組み立てた後にレースウェイ１２に取り付けられるようになっている。
【００３３】
続けて、照明器具Ａのレースウェイ１２への取付手順について図２に基づいて説明する。まず、各電線１４ａを電線挿通孔１ｂを通して対応する電線接続孔１０ｂに接続した後、レースウェイ１２に保持された各固定ねじ１５のねじ部１５ａを対応する取付片５のねじ挿通孔５ａに挿通し、下側からねじ部１５ａに座金１７を入れるとともに蝶ナット１６を螺合させると、図２（ｂ）に示すように照明器具Ａがレースウェイ１２に固定される。
【００３４】
ここで、図８は本実施形態の照明器具Ａを移設する場合の工程を示すフローチャートであり、まず蝶ナット１６を緩めて固定ねじ１５から照明器具Ａを取り外した後（ステップＳ９）、図３に示すように工具（例えばマイナスドライバなど）の先部２１を解除孔１０ｃに挿入して電線１４ａを取り外すと（ステップＳ１０）、照明器具Ａが一旦取り外される。次に、取り外した照明器具Ａを移設場所に運び、各電線１４ａを対応する電線接続孔１０ｂに挿入して接続した後（ステップＳ１１）、移設場所に設けられたレースウェイ１２に保持された各固定ねじ１５を対応する取付片５のねじ挿通孔５ａに挿通するとともに蝶ナット１６を螺合させて照明器具Ａを取り付けると（ステップＳ１２）、照明器具Ａの移設が完了する。すなわち、本実施形態の照明器具Ａは上記４工程のみで移設することができ、従来例の照明器具に比べて半分の工程になる（従来例は８工程、図１１参照）。
【００３５】
本実施形態の照明器具Ａでは、レースウェイ１２に取り付けるための取付片５を器具本体１の外側（左右方向両端部）に設けるとともに、器具本体１におけるレースウェイ１２との対向部位に設けた電線挿通孔１ｂに電線の接続面（すなわち、電線１４ａを接続する電線接続孔１０ｂや接続された電線１４ａを取り外す解除孔１０ｃを設けた面）が臨むように端子台１０を配置することによって、照明器具Ａを組み立てた状態で電線１４ａを端子台１０に対して接続又は取り外すことができるとともに、レースウェイ１２に着脱することができるので、従来例のようにランプや反射板を取り外さなくてもよく、照明器具Ａを新規に設置する場合や移設する場合の設置工数を削減することができる。また、端子台１０に電線１４ａを接続する際には、電線挿通孔１ｂを臨む接続面の電線接続孔１０ｃに電線１４ａを挿入するだけでよく、従来例のように電線を器具本体の内部に引き込まなくていいので、電線の処理工数を削減することができる。
【００３６】
なお、本実施形態では、電線挿通孔１ｂを閉塞する遮蔽板として図７（ａ）に示す遮蔽板２３を用いた場合を例に説明したが、図７（ｂ）に示すような遮蔽板２４であってもよい。この遮蔽板２４は、略矩形板状に形成されており、所定の位置にケーブル１４を挿通させる挿通孔２４ａが貫設されている。また、遮蔽板２４にはノックアウト２４ｂも設けられており、必要に応じて開孔できるようになっている（例えば、送り配線など）。而して、挿通孔２４ａにケーブル１４を挿通させた遮蔽板２４を上下方向（図７（ｂ）中の矢印Ｄ−Ｅ方向）に移動させることによって、電線挿通孔１ｂを閉塞または開放できるようになっており、端子台１０に電線１４ａを接続した状態でも電線挿通孔１ｂを閉塞できるから、端子台１０の内部に塵埃が侵入するのを防止することができる。なお、図７（ｂ）中の二点鎖線は電線挿通孔１ｂを閉塞した状態の遮蔽板２４を示している。
【００３７】
また、本実施形態では、電線挿通孔１ｂを略矩形状に形成しているが、電線挿通孔の形状は本実施形態に限定されるものではなく、矩形状以外の形状であってもよい。
【００３８】
さらに、本実施形態では、照明器具Ａを別のレースウェイ１２に移設する場合を例に説明したが、同一のレースウェイ１２において移設する場合でもよく、同様に移設工程を従来例の照明器具の半分にすることができる。なお、上記の場合、ケーブル１４の届く範囲であれば、蝶ナット１６を緩めるだけで調整することができる。
【図面の簡単な説明】
【００３９】
【図１】本実施形態の照明器具の分解斜視図である。
【図２】同上を示し、（ａ）は取付前の斜視図、（ｂ）は取付後の斜視図である。
【図３】同上のＦ部詳細図である。
【図４】（ａ）、（ｂ）は同上の端子台への電線接続状態を説明する説明図である。
【図５】同上の端子台と安定器の接続状態を説明する説明図である。
【図６】同上の端子台と安定器の接続状態を説明する別の説明図である。
【図７】（ａ）、（ｂ）は同上に用いられる遮蔽板の動作を説明する説明図である。
【図８】同上の移設工程を説明するフローチャートである。
【図９】従来例の照明器具を示し、（ａ）は分解斜視図、（ｂ）は要部詳細図である。
【図１０】同上の別の例を示し、（ａ）は分解斜視図、（ｂ）、（ｃ）は要部詳細図である。
【図１１】従来例の照明器具の移設工程を説明するフローチャートである。
【符号の説明】
【００４０】
１  器具本体
１ａ  電線挿通孔
２  給電ユニット
５  取付片（取付部）
１０  端子台（電源接続部）
１１  安定器（点灯回路）
１２  レースウェイ（被取付部）
１４  電線
Ａ  照明器具
【図１】
2009224155.tif 000003
【図２】
2009224155.tif 000004
【図３】
2009224155.tif 000005
【図４】
2009224155.tif 000006
【図５】
2009224155.tif 000007
【図６】
2009224155.tif 000008
【図７】
2009224155.tif 000009
【図８】
2009224155.tif 000010
【図９】
2009224155.tif 000011
【図１０】
2009224155.tif 000012
【図１１】
2009224155.tif 000013